(57)【要約】【課題】経時劣化の影響が少なく、遊技球の発射安定性が良好な遊技球発射装置を提供すること。【解決手段】遊技盤１上に遊技球を打ち出す発射装置２であって、揺動可能に軸支され、かつ一方の揺動位置側に向けて付勢された発射槌４と、回動可能に軸支され、かつモーター７等の駆動で回転するカム５とを備え、回転する上記カム５を上記発射槌４に当接せしめ、カム５により発射槌４を一方の揺動位置から他方の揺動方向へ押圧せしめ、発射槌４が他方の揺動位置に至ったときに、カム５による発射槌４の押圧が解除され、発射槌４を上記付勢力により一方の揺動位置に戻すことで発射槌４の槌部４０で遊技球を打ち出すようになした遊技球発射装置において、発射槌４およびカム５を同一の支軸３により支持せしめ、発射槌４の揺動中心軸と、カム５の回転中心軸とを同軸とした。【選択図】        図２
2004275264.tif 000002
【特許請求の範囲】
【請求項１】
遊技盤上に遊技球を打ち出す遊技球発射装置であって、
揺動可能に軸支され、かつ一方の揺動位置側に向けて付勢された発射槌と、回動可能に軸支され、かつモーター等の駆動で回転するカムとを備え、回転する上記カムを上記発射槌に当接せしめ、カムにより発射槌を一方の揺動位置から他方の揺動方向へ押圧せしめ、発射槌が他方の揺動位置に至ったときに、カムによる発射槌の押圧が解除され、発射槌を上記付勢力により一方の揺動位置に戻すことで発射槌の槌部で遊技球を打ち出すようになした遊技球発射装置において、
上記発射槌の揺動中心軸と、上記カムの回転中心軸とを同軸にしたことを特徴とする遊技球発射装置。
【請求項２】
請求項１に記載の遊技球発射装置において、
上記発射槌には上記カムの先端と当接可能な当接部を設け、該当接部を、回転するカムの先端の回転軌跡を横切るように該回転軌跡の内側位置と外側位置との間を上記回転軌跡の径方向に移動可能に設け、かつ付勢部材により上記内側位置側へ付勢せしめ、回転する上記カムの先端を上記当接部に当接せしめて上記発射槌を一方の揺動位置から他方の揺動位置側へ押圧せしめ、発射槌が他方の揺動位置に至ったときに、上記当接部が上記外側位置へ移動してカムの先端との当接を解除するようになした遊技球発射装置。
【請求項３】
遊技盤上に遊技球を打ち出す遊技球発射装置であって、
揺動可能に軸支され、かつ一方の揺動位置側に向けて付勢された発射槌と、回動可能に軸支され、かつモーター等の駆動で回転するカムとを備え、回転する上記カムを上記発射槌に当接せしめ、カムにより発射槌を一方の揺動位置から他方の揺動位置側へ押圧せしめ、発射槌が他方の揺動位置に至ったときに、カムによる発射槌の押圧が解除され、発射槌を上記付勢力により一方の揺動位置に戻すことで発射槌の槌部で遊技球を打ち出すようになした遊技球発射装置において、
上記発射槌の揺動中心軸と上記カムの回転中心軸とを、互いに両中心軸が隣合う近傍位置となるように配置したことを特徴とする遊技球発射装置。
【請求項４】
請求項３に記載の遊技球発射装置において、
上記カムの回転中心軸を、上記発射槌の揺動中心軸を中心にして該揺動中心軸から上記発射槌の上記カムとの当接部までの距離を半径とする円内に配置した遊技球発射装置。
【請求項５】
請求項１ないし請求項４のいずれかに記載の遊技球発射装置において、
上記発射槌は、上下方向に配してその上部を上記揺動中心軸によりに軸支せしめるとともに、下端に遊技球を打ち出す槌部を設け、上記揺動中心軸よりも下方の位置から遊技球を打ち上げ発射するようになした遊技球発射装置。
【請求項６】
請求項５に記載の遊技球発射装置において、
上記遊技球発射装置は、上記発射槌および上記カムを、上記各中心軸を介して支持するベース部材を備え、該ベース部材には、上記発射槌の槌部と対応する位置に、遊技球の打ち出しを案内する発射レールを付設した遊技球発射装置。
【発明の詳細な説明】
【０００１】
【発明の属する技術分野】
本発明はパチンコ機に用いられる遊技球発射装置に関するものである。
【０００２】
【従来の技術】
図７に示すように、一般にパチンコ機Ｐは、遊技盤１の下方位置に設置された遊技球発射装置２Ｂにより遊技球を打ち出し、遊技盤１上の遊技領域１０へ遊技球を送り込むようにしている。図８は従来の代表的な遊技球発射装置の概略構成図を示し、従来の遊技球発射装置２Ｂは、揺動中心軸３ｃにより揺動可能に支持され、一方の揺動方向（白矢印Ｘ方向）へ向けて付勢されて遊技球を打ち出す発射槌４と、回転中心軸３ｄにより回転可能に支持され、モーター７の駆動で回転するとともに発射槌４を作動せしめるカム５とを備えている。図の２０は、発射槌４、カム５およびモーター７等を取付けるベース板で、６はカム５と一体に回転する歯車で、モーターギヤ７０と噛合してモーター７の回転をカム５に伝えるものである。
【０００３】
発射槌４は、通常、上記付勢力により、発射槌４の両端を複数のストッパ２３に当接せしめた打出位置に保持されている。そして、モーター７の駆動によりカム５が矢印Ｙ方向へ回転すると、カム５が発射槌４の当接部４３ｂに当接して発射槌４を上記打出位置から反白矢印Ｘ方向へ押し動かす。その後、発射槌４が所定の位置まで揺動すると、回転するカム５の先端５１が発射槌４の当接部４３ｂから離れ、上記付勢力により発射槌４が上記打出位置へ勢いよく戻される。このとき発射槌４の槌部４２が発射レール９上の遊技球Ｑを勢いよく打ち、遊技球Ｑを発射するようにしている（例えば、特許文献１参照。）。
【０００４】
【特許文献１】
特開平７−２０４３２３号公報
【０００５】
【発明が解決しようとする課題】
従来の遊技球発射装置２Ｂでは、発射槌４とカム５とがそれぞれ個別の揺動中心軸３ｃと回転中心軸３ｄにより支持され、かつカム５の回転方向（矢印Ｙ方向）に対して、カム５により押し動かされる発射槌４の揺動方向（反白矢印Ｘ方向）が反対方向となる構造であり、発射槌４の揺動中心軸３ｃとカム５の回転中心軸３ｄとの軸間の距離が長く、このため発射槌４の揺動中心軸３ｃから当接部４３ｂまでの距離、およびカム５の回転中心軸３ｄからカム先端５１までの距離が長い。ところで、遊技球発射装置２Ｂは使用しているうちに発射槌４の揺動中心軸３ｃやカム５の回転中心軸３ｄに軸ずれやがたつきが発生するおそれがある。各軸３ｃ，３ｄに軸ずれやがたつきが発生すると、発射槌４の当接部４３ｂの揺動軌跡とカム５のカム先端５１の回転軌跡とがずれてしまう。特に、発射槌４の当接部４３ｂやカム５のカム先端５１では各軸３ｃ，３ｄから離れている分、当接部４３ｂやカム先端５１でのずれ幅やがたつき幅が大きくなり両者４３，５１の移動軌跡のずれも大きくなる。この状態で遊技球を打ち出した場合、回転するカム５のカム先端５１が発射槌４の当接部４３ｂを押し動かす範囲が長くなったり短くなったりして発射槌４の揺動範囲が安定せず、遊技球を打ち出す勢いが不安定になるという問題があった。遊技球の打ち出しが不安定だと、遊技者の狙い通りに遊技球を打ち出すことができない。そこで本発明は、発射槌の揺動中心軸やカムの回転中心軸の軸ずれやがたつきが発生してもこれらによる影響を最小限に抑えることができ、遊技球を安定して打ち出すことができる遊技球発射装置を提供することを課題としてなされたものである。
【０００６】
【課題を解決するための手段】
本発明は、遊技盤上に遊技球を打ち出す遊技球発射装置であって、揺動可能に軸支され、かつ一方の揺動位置側に向けて付勢された発射槌と、回動可能に軸支され、モーター等の駆動で回転するカムとを備え、回転する上記カムを上記発射槌に当接せしめ、カムにより発射槌を一方の揺動位置から他方の揺動方向へ押圧せしめ、発射槌が他方の揺動位置に至ったときに、カムによる発射槌の押圧が解除され、発射槌を上記付勢力により一方の揺動位置に戻すことで発射槌の槌部で遊技球を打ち出すようになした遊技球発射装置において、上記発射槌の揺動中心軸と、上記カムの回転中心軸とを同軸にする（請求項１）。発射槌とカムとを同軸としたので、軸のずれやがたつきが生じても、発射槌とカムとが同様にずれたりがたつくこととなるのので、発射槌の揺動軌跡とカムの回転軌跡とにずれが発生せず、発射槌の揺動範囲は変わらない。従って、遊技球を安定して打ち出すことができる。
【０００７】
上記発射槌には上記カムの先端と当接可能な当接部を設け、該当接部を、回転するカムの先端の回転軌跡を横切るように該回転軌跡の内側位置と外側位置との間を上記回転軌跡の径方向に移動可能に設け、かつ付勢部材により上記内側位置側へ付勢せしめ、回転する上記カムの先端を上記当接部に当接せしめて上記発射槌を一方の揺動位置から他方の揺動位置側へ押圧せしめ、発射槌が他方の揺動位置に至ったときに、上記当接部が上記外側位置へ移動してカムの先端との当接を解除するようになす（請求項２）。発射槌の当接部をカムの先端の回転軌跡に対してその内側位置と外側位置とに移動可能としたので、発射槌が他方の揺動位置に達したときに発射槌とカムとの当接を解除させることができる。
【０００８】
遊技盤上に遊技球を打ち出す遊技球発射装置であって、揺動可能に軸支され、かつ一方の揺動位置側に向けて付勢された発射槌と、回動可能に軸支され、かつモーター等の駆動で回転するカムとを備え、回転する上記カムを上記発射槌に当接せしめ、カムにより発射槌を一方の揺動位置から他方の揺動位置側へ押圧せしめ、発射槌が他方の揺動位置に至ったときに、カムによる発射槌の押圧が解除され、発射槌を上記付勢力により一方の揺動位置に戻すことで発射槌の槌部で遊技球を打ち出すようになした遊技球発射装置において、上記発射槌の揺動中心軸と上記カムの回転中心軸とを、互いに両中心軸が隣合う近傍位置となるように配置する（請求項３）。発射槌の揺動中心軸とカムの回転中心軸とを近づけたので、発射槌の揺動中心軸からカムとの当接部の距離、およびカムの回転中心軸から発射槌と当接するカム先端部との距離を短くできる。従って、発射槌の揺動中心軸やカムの回転中心軸にずれやがたつきが生じても、上記発射槌の当接部や上記カムの先端部でのずれやがたつきを軸のずれやがたつきとほぼ同じ程度ですみ、当接部の揺動軌跡およびカム先端の回転軌跡のずれも小さくすむ。これにより発射槌の揺動範囲が大きく変わることがなく、遊技球を安定に打ち出すことができる。
【０００９】
上記カムの回転中心軸を、上記発射槌の揺動中心軸を中心にして該揺動中心軸から上記発射槌の上記カムとの当接部までの距離を半径とする円内に配置する（請求項４）。
【００１０】
上記発射槌は、上下方向に配してその上部を上記揺動中心軸によりに軸支せしめるとともに、下端に遊技球を打ち出す槌部を設け、上記揺動中心軸よりも下方の位置から遊技球を打ち上げるように発射する（請求項５）。発射槌、カムおよびモーター等をコンパクトにまとめて取付けることができるので、これ等のまわりのスペースを有効に利用することができる。そこで、発射槌を上下方向に配し、その上部を発射装置の上端部に揺動可能に設置することで、発射装置の下端側に遊技球を発射するための発射スペースを確保できる。従って、発射槌の下端の槌部で遊技球を発射装置の下端側から打ち上げ発射することができる。これによれば、従来のパチンコ機のように、遊技盤の下端と遊技球発射装置との間に発射スペースを確保しなくてすむのでその分、遊技盤の下端を下方へ拡張することができる。
【００１１】
上記遊技球発射装置は、上記発射槌および上記カムを、上記各中心軸を介して支持するベース部材を備え、該ベース部材には、上記発射槌の槌部と対応する位置に、遊技球の打ち出しを案内する発射レールを付設する（請求項６）。ベース部材に対して、発射槌、カムおよびモーター等をコンパクトにまとめて取付けることができるので、これ等のまわりのスペースを有効に利用して、ベース部材に発射レールを取付けることができる。これによれば、従来のパチンコ機では、発射装置と発射レールとがパチンコ機の前面枠に個別に取付けられるので、両者を取付けた後に発射レールと発射装置の発射槌との位置合わせをする手間がかかったが、発射レールを発射装置に予め取付けておくことにより上記手間を省くことができる。
【００１２】
【発明の実施の形態】
図１ないし図４に基づいて本発明の第１の実施形態を説明する。図１に示すように、パチンコ機Ｐにはその前枠Ｐ１の内面側に、遊技盤１とその下方位置に遊技球発射装置２が設置されている。遊技盤１の盤面上には、ガイドレール１１，１２で囲まれた略円形の遊技領域１０が形成してあり、遊技球発射装置（以下、発射装置という）２により打ち出された遊技球Ｑを、各ガイドレール１１，１２間の通路１３より遊技領域１０へ送り込むようにしてある。
【００１３】
図２および図３に示すように、発射装置２はべース板２０を備え、これに遊技球を打ち出す発射槌４と、発射槌４を作動せしめるカム５と、カム５を駆動するモーター７、および発射ハンドル８が設けてある。
【００１４】
べース板２０にはその上部の左右方向ほぼ中間位置に、べース板２０の表面側へ突出する支軸３が設けてあり、該支軸３により発射槌４を揺動可能に支持せめるとともに、カム５が回転可能に支持せしめてる。支軸３は、モーター７のモーター軸で構成した回転可能な軸であり、これをべース板２０の貫通穴に裏面側から挿通し、モーター７の本体をべース板２０の裏面に固定することにより、べース板２０に対してほぼ垂直に立設してある。べース板２０の上記貫通穴まわりには、後述の発射槌４を付勢するスプリング４０を保持する浅い円形容器状のスプリング保持部２２が形成してある。
【００１５】
発射槌４は上下方向に延在するほぼく字形のレバー体で、その上端にはべース板２０のスプリング保持部２２と対向する円盤４１が一体に形成してある。発射槌４の下端にはほぼＬ字形に屈折して遊技球を打つための槌部４２が形成してある。発射槌４は、その上端の貫通穴に支軸３を貫通せしめて支軸３の突出方向中間位置に揺動可能に支持せしめてある。尚、発射槌４はモーター７による支軸３の回転と干渉することなく揺動可能で、その揺動範囲は、べース板２０の表面に所定の間隔をおいて取付けた一対のストッパ２３ａ，２３ｂにより規制され、一方のストッパ２３ａ（図２の向かって左側）に当接した打出位置（図２の実線位置）と、他方のストッパ２３ｂに当接したテークバック位置（図２の鎖線位置）との間を揺動可能としてある。
【００１６】
発射槌４には、互いに間隔をおいて対向せしめた発射槌４の円盤４１とべース板２０のスプリング保持部２２との間に、支軸３まわりに配したスプリング４０が設けてあり、発射槌４はスプリング４０により図２に示した白矢印Ｘ方向へ向けて付勢されている。スプリング４０は、その一端が発射槌４側に連結され、他端がワイヤ部材Ｗを介して発射ハンドル８側に連結され、遊技者のハンドル操作によりスプリング４０の上記付勢力の強弱が調整できるようにしてある。尚、発射槌４は通常、上記付勢力により上記打出位置に保持されている。
【００１７】
支軸３の先端にはカム５が取付けてある。カム５を取付ける支軸３の先端は周面の一部を切り欠いて断面ほぼ半月状に形成してあり、その周面湾曲部にはネジが切ってある。カム５は半月状の金属片からなり、基端には上記支軸３の先端に対応してこれを挿通可能な半月状の貫通穴が形成してある。カム５は、基端の貫通穴に支軸３の先端を挿通せしめて、カム５を貫通した支軸３の先端にナットを締付けて締結固定してある。このように取付けたはカム５はモーター７による支軸３の回転と一体に図２の矢印Ｙ方向へ回転するようしてある。尚、カム５の基端と発射槌４の上端との間には、支軸３を通した薄肉リング状のスペーサー３０を設け、カム５の回転と発射槌４の揺動が互いに干渉しないようにしてある。
【００１８】
カム５は上記回転方向側の側縁が円弧状をなすカム面５０が形成してある。これに対して、発射槌４の中間屈折部には、支軸３を中心に回転するカム５のカム先端５１の回転軌跡と対応する位置に、発射槌４の表面側へ突出し、カム面５０と当接可能な当接部４３が設けてある。発射槌４の屈折部には、基端から屈折部を結ぶ直線状に沿って長径とした長穴４４が形成してある。当接部４３は、長穴４４をその長径方向に沿って摺動移動可能に設けたピン４３１の先端にカム面５０と当接する円筒状のローラー４３０を取付けたもので、長穴４４の長径方向に沿って、かつ上記カム先端５１の回転軌跡の径方向に沿うように該回転軌跡の回転中心内側位置と外側位置との間を移動可能としてある。また、当接部４３は、発射槌４の裏面側に設けたバネ部材４５により上記カム先端５１の回転軌跡の内側位置へ向けて（図２の矢印Ｔ方向）付勢されている。
【００１９】
発射装置２のべース板２０の表面には、上記打出位置にある発射槌４の槌部４２と対向する位置に、遊技球を案内する発射レール９が取付けてある。発射レール９は浅い断面ほぼＶ字形のレール部材で、発射槌４の槌部４２の先端と対応する位置から槌部４２の延出方向に沿って傾斜状に設置してある。また、発射レール９の上方位置にはその一端と間隔をおいて対向し、発射レール９上の遊技球を槌部４２が打ち出し可能な位置に保持する保持部材９０が取付けてある。
【００２０】
このように構成した発射装置２は、遊技者が発射ハンドル８に掴むと  図略のスイッチが入り、モーター７が駆動して支軸３と一体にカム５が矢印Ｙ方向へ一定の速度で回転を始める。回転するカム５は、そのカム面５０が上記打出位置にある発射槌４の当接部４３に当接し、これを上記回転方向へ押す。この時、発射槌４の当接部４３はバネ部材４５の付勢力に上記内側位置に保持されている。そして、回転するカム５の押圧力を受けて、発射槌４は反白矢印Ｘ方向に沿って打出位置から上記テークバック位置へ揺動する。
【００２１】
図４（Ａ）に示すように、発射槌４がテークバック位置に到り、他方のストッパ２３ｂに当接して揺動が規制されると、発射槌４を押し動かしていたカム５の荷重が、発射槌４の当接部４３に集中し、図４（Ｂ）に示すように、当接部４３は上記荷重の作用により、円弧状のカム面５０に摺動案内されて長穴４４に沿って上記内側位置から上記外側位置へとバネ部材４５の付勢力に抗して反矢印Ｔ方向へ押し動かされる。当接部４３が外側位置へ移動することにより、当接部４３とカム面５０との当接が解除され、発射槌４がカム５の押圧から開放され、開放された発射槌４は上記スプリング４０の付勢力によりテークバック位置から打出位置へ（白矢印Ｘ方向へ）勢いよく戻ることとなる。そして、発射槌４が一方のストッパ２３ａに当接する瞬間に槌部４２の先端が発射レール９上の遊技球を強打して、遊技球を発射レール９に沿って斜め上方へ打ち上げ発射する。尚、発射装置２は、遊技者が遊技を中断または終了して、モーター７が停止するまでこの一連の操作を繰り返して遊技球を連続的に発射する。
【００２２】
図１に示すように、発射装置２から斜め上方へ発射された遊技球Ｑは、遊技盤１の下端隅角に設けられたガイド部材１４に当り、これに弾かれて上記通路１３内へ進入し、通路１３を経て遊技領域１０へ進入する。図１の１５ａ，１５ｂは、発射装置２により発射した遊技球の勢いが弱く遊技領域１０へ達しない場合にこれらの遊技球を回収する取込み口で、各取込み口１５ａ，１５ｂに取り込まれた遊技球は図略の下皿へ払い出される。
【００２３】
ところで、発射装置は使用するうちに支軸３の軸ずれやがたつきが生じるおそれがある。本実施形態の発射装置２は、発射槌４とカム５とをともに１本の支軸３で支持せしめ、発射槌４の揺動中心軸と、カム５の回転中心軸とを同軸としたので、支軸３に上記軸ずれやがたつきが生じても、発射槌４およびカム５とは同じようにずれ、がたつくこととなるので、実質的に発射槌４の当接部４３の揺動軌跡とカム５のカム先端５１の回転軌跡とが互いにずれない。従って、カム５により押し動かされる発射槌４の槌部４２の揺動範囲は変わらず、遊技球を安定して打ち出すことができる。尚、発射槌とカムとを個別の支軸で支持せしめた従来構造の発射装置では、カムによる発射槌の押圧時に、両支軸に互いに離れる方向へ荷重が作用して使用するうちに各支軸の軸ずれやがたつきが生じ易いが、これに比べて、同一の支軸３とした本実施形態の発射装置２では上記荷重が作用しないので、軸ずれやがたつきが発生しにくい。
【００２４】
また本実施形態の発射装置２は、発射槌４の揺動中心軸と、カム５の回転中心軸とを同軸としたが、カム面５０と当接する発射槌４の当接部４３を、支軸３を中心とするカム先端５１の回動軌跡に対してこれを横切るように該回転軌跡の径方向に沿って、回転軌跡の内側位置と外側位置との間を移動可能に設け、かつバネ部材４５により通常は上記内側位置に保持せしめるようにしたので、、回転するカム５により発射槌４が上記テークバック位置に押し動かされたときに、当接部４３が上記外側位置へ移動して発射槌４とカム５との当接をスムーズに解除させることができる。
【００２５】
本発射装置２は、発射槌４、カム５およびモーター７等をべース板２０に対してコンパクトにまとめて取付けることができるので、べース板２０の他のスペースを有効に利用することができる。そこで、発射槌４の上端およびカム５の基端をべース板２０の上端部に軸支し、べース板２０の下端側に遊技球の発射スペースを設け、遊技球を打ち上げ発射するようにしたので、従来のパチンコ機のように遊技盤の下端と発射装置との間に発射スペースを確保しなくてすみ、本発明を適用したパチンコ機では、図１に示す遊技盤２のように、従来の遊技領域の下縁（図１の鎖線位置）に比べて、遊技領域１０の下端部を下方へ拡張することができる。
【００２６】
また、発射装置２のべース板２０の他のスペースを有効に利用することができるので、べース板２０に発射レール９を取付けることがでる。従来のパチンコ機では、発射装置と発射レールとをパチンコ機の前枠に個別に取付けていたので、両者を取付けた後に発射レールと発射装置の発射槌との位置合わせをする手間がかかったが、本発明を適用したパチンコ機では発射レール９と発射槌４との位置合わせをする手間を省くことができる。
【００２７】
次に、図５および図６に基づいて本発明を適用した他の実施形態を説明する。本実施形態の発射装置を構成する構成部材は先の実施形態のそれとほぼ同じで、両者の相違点を中心に本実施形態を説明する。尚、図において同一部材は同一符号で表し、それらの説明を省略する。図５および図６に示すように、発射装置２Ａのベース板２０には、その上部の左右方向ほぼ中間位置に、べース板２０の表面側へ突出する支軸３ａが設けてあり、支軸３ａには、発射槌４の上端を揺動可能に支持せめてある。発射槌４は、べース板２０の表面に取付けた一対のストッパ２３ａ，２３ｂのうち、一方のストッパ２３ａ（図５の向かって左側）に当接した状態の打出位置（図５の実線位置）と、他方のストッパ２３ｂに当接した状態のテークバック位置（図５の鎖線位置）との間を揺動可能としてある。発射槌４はスプリング４０により図５の白矢印Ｘ方向へ向けて付勢され、通常、上記付勢力により上記打出位置に保持されている。
【００２８】
発射槌４の中間屈折部には、発射槌４の表面側へ突出する当接部４３ａが設けてある。当接部４３ａは、発射槌４に対してほぼ垂直に立設固定したピン４３１の先端にローラー部材４３０が取付けてある。発射槌４の下端にはほぼＬ字形に屈折する槌部４２が設けてある。そして、上記打出位置にある発射槌４の槌部４２と対向する位置には、べース板２０の表面に、発射レール９と保持部材９０とが取付けてある。
【００２９】
また、べース板２０には、発射槌４の揺動動作に干渉することなく支軸３ａに近づけた位置で、支軸３ａの左斜め下方（図５の向かって左側位置）、かつ発射槌４の支軸３ａを中心にして支軸３ａから発射槌４の当接部４３ａまでの距離を半径とする円内の位置に、モーター７のモーター軸からなる支軸３ｂが設けてある。支軸３ｂは、べース板２０に対してほぼ垂直方向に起立し、その突出量は支軸３ａよりも大きくしてある。
【００３０】
支軸３ｂの先端には、モーター７による支軸３ｂの回転と一体に図５の矢印Ｙ方向へ回転するカム５が締結固定してあり、カム５は上記回転によりカム面５０を発射槌４の当接部４３ａに当接せしめて、発射槌４を上記打出位置から上記テークバック位置へ揺動移動せしめようにしてある。尚、支軸３ｂを中心に回転するカム５のカム先端５１の回転軌跡は、発射槌４が上記テークバック位置へ達したときに、カム先端５１と当接部４３ａとの当接が解除されるようにしてある。
【００３１】
本実施形態の発射装置２Ａは、モーター７が駆動して支軸３ｂと一体にカム５が矢印Ｙ方向へ一定の速度で回転し、カム５が回転するとカム面５０が上記打出位置にある発射槌４の当接部４３ａに当接し、これを上記回転方向へ押す。これにより発射槌４は、回転するカム５の押圧力を受けて、反白矢印Ｘ方向に上記テークバック位置へ揺動する。そして、発射槌４がテークバック位置に達すると、カム先端５１と当接部４３ａとの当接が解除され、発射槌４がカム５の押圧から開放されて、発射槌４は上記スプリング４０の付勢力によりテークバック位置から打出位置へ勢いよく戻り、発射レール９上の遊技球を強打して発射する。発射装置２Ａは、モーター７が停止するまでこの一連の操作を繰り返して遊技球を連続的に発射する。
【００３２】
本実施形態の発射装置２Ａは、発射槌４とカム５とをそれぞれ個別の支軸３ａ，３ｂで支持せしめたが、両支軸３ａ，３ｂを互いに近づけてあるので、発射槌４の支軸３ａから当接部４３ａまでの距離、およびカム５の支軸３ｂからカム先端５１までの距離を短くすることができる。従って、発射槌４の支軸３ａやカム５の支軸３ｂに軸ずれやがたつきが生じても、発射槌４の当接部４３ａやカム５のカム先端５１でのずれやがたつきが軸のずれやがたつきとほぼ同程度ですみ、当接部４３の揺動軌跡およびカム先端５１の回転軌跡のずれも小さくてすむ。これにより発射槌の揺動範囲が大きく変わることがなく、先の実施形態と同様に遊技球を安定に打ち出すことができる。
【００３３】
また、発射装置２Ａは、遊技球を打ち上げ発射するようになし、かつベース板２０に発射レール９を取付けるようにしたので、先の実施形態と同様に、パチンコ機の遊技領域１０の下端部を下方へ拡張することができ、発射レール９と発射槌４との位置合わせをする手間を省くことができる。
【００３４】
尚、本発明の発射装置２，２Ａは、べース板２０の下部から遊技球を打ち上げるように発射する構造としたが、これに限らず、発射槌４を上下逆方向に設置し、従来の発射装置のようにべース板２０の上側から遊技球を発射するようにしてもよい。
【００３５】
【発明の効果】
本発明の遊技球発射装置によれば、発射槌の揺動中心軸やカムの回転中心軸の位置ずれやがたつきが発生してもこれらによる影響を最小限に抑えることができ、遊技球を安定して打ち出すことができる。従って、遊技者がその狙い通りに遊技球を打ち出すことが可能である。
【図面の簡単な説明】
【図１】本発明の遊技球発射装置を用いたパチンコ機の概略正面図である。
【図２】本発明を適用した遊技球発射装置の概略正面図である。
【図３】図２のＩＩＩ  −ＩＩＩ  線に沿う位置での断面図である。
【図４】上記遊技球発射装置の発射槌とカムとの作動を示し、図４（Ａ）はカムが発射槌をテークバック位置へ押し動かした状態を示す概略作動図、図４（Ａ）はカムが発射槌をテークバック位置から開放する状態を示す概略作動図である。
【図５】本発明を適用した他の遊技球発射装置の概略正面図である。
【図６】図５のＶＩ−ＶＩ線に沿う位置での断面図である。
【図７】従来の遊技球発射装置を用いたパチンコ機の概略正面図である。
【図８】従来の遊技球発射装置の概略正面図である。
【符号の説明】
Ｐ  パチンコ機
Ｐ１  前枠
Ｑ  遊技球
１  遊技盤
１０  遊技領域
２，２Ａ  遊技球発射装置
２０  ベース部材（ベース板）
３  支軸（揺動中心軸，回転中心軸）
３ａ  支軸（揺動中心軸）
３ｂ  支軸（回転中心軸）
４  発射槌
４２  槌部
４３  当接部
５  カム
５０  カム面
５１  カム先端
７  モーター
【図１】
2004275264.tif 000003
【図２】
2004275264.tif 000004
【図３】
2004275264.tif 000005
【図４】
2004275264.tif 000006
【図５】
2004275264.tif 000007
【図６】
2004275264.tif 000008
【図７】
2004275264.tif 000009
【図８】
2004275264.tif 000010